(57)【要約】      （修正有）【課題】樹脂製の屋根パネルを使用する屋根に好適で、塩害に強く、現場への適用、変更が容易な屋根構造を提供する。【解決手段】本屋根構造は、複数の桁１１と、該桁に固着され、少なくとも一方の側面に複数の溝を備えた複数の垂木１２と、少なくとも両辺が両側の垂木の第１の溝に嵌合する板状の屋根パネル１３と、両端部が垂木の第２の溝に嵌合する棒状の横木１４と、該横木と屋根パネルとの間に配置された弾力性シート１５とを備える。樹脂製の屋根パネルを使用する屋根に好適であり、特殊な材料や加工を必要としないので、容易かつ安価に製作できる。また、耐久性のある木材および金具を使用することにより、塩害に強い屋根を提供可能である。更に、屋根の形状、強度、材質等を任意に設計、変更可能であり、現場への適用、変更が容易である。【選択図】図１
0003166548.tif 000002
【実用新案登録請求の範囲】
【請求項１】
複数の桁と、
前記桁に固着され、少なくとも一方の側面に複数の溝を備えた複数の垂木と、
少なくとも両辺が両側の前記垂木の第１の前記溝に嵌合する板状の屋根パネルと、
両端部が前記垂木の第２の前記溝に嵌合する棒状の横木と、
前記横木と前記屋根パネルとの間に配置された弾力性シートと
を備えたことを特徴とする屋根構造。
【請求項２】
前記屋根パネルの上側に前記横木と平行に配置され、前記屋根パネルとの間に弾力性シートを備えた上側横木を設けたことを特徴とする請求項１に記載の屋根構造。
【請求項３】
前記上部横木は前記横木と同一の形状であり、前記垂木の側面の前記第１の溝の上部には、前記上部横木が嵌合するための第３の溝が設けられていることを特徴とする請求項２に記載の屋根構造。
【請求項４】
前記垂木の側面の前記第１の溝は、前記屋根パネルの継ぎ目の部分において他の部分よりも幅が広くなっていることを特徴とする請求項１に記載の屋根構造。
【請求項５】
前記垂木の側面の前記第１の溝は、前記屋根パネルの継ぎ目の部分において前記屋根パネルの厚さ分だけ段差が付けられていることを特徴とする請求項１に記載の屋根構造。
【請求項６】
前記垂木の側面の前記第１の溝は湾曲していることを特徴とする請求項１に記載の屋根構造。
【考案の詳細な説明】
【技術分野】
【０００１】
本考案は屋根の構造に関するものであり、特に樹脂製などの天板を使用する屋根に好適な屋根構造に関するものである。
【背景技術】
【０００２】
従来、カーポートやテラスなどの屋根として、例えば透明な樹脂（プラスティック）製の板を用いた屋根の構造が各種提案されている。例えば下記の特許文献１には、組立式の屋根を有するエクステリアの構造が開示されている。この屋根構造は、垂木側に張り出してなる取付部を設けた妻垂木カバーと、両端部に押圧部を設けて垂木にねじ止めされるパネル押えとを有し、垂木の上に載置された、妻垂木カバーの垂木側に張り出してなる取付部と、日除けパネルとをパネル押さえの両端に設けた押圧部で一括して圧下して垂木に固定するようになっている。
【先行技術文献】
【特許文献】
【０００３】
【特許文献１】特許第２７２３０３４号公報
【考案の概要】
【考案が解決しようとする課題】
【０００４】
上記したような従来の屋根の構造においては、金属を加工する必要があり、塩害に弱い、加工費が高価である、現場への適用、修正が困難であるなどの問題点があった。
【０００５】
本考案の目的は、上記した従来例の問題点を解決し、樹脂製の屋根パネルを使用する屋根に好適で、塩害に強く、現場への適用、変更が容易な屋根構造を提供することにある。
【課題を解決するための手段】
【０００６】
本考案の屋根構造は、複数の桁と、前記桁に固着され、少なくとも一方の側面に複数の溝を備えた複数の垂木と、少なくとも両辺が両側の前記垂木の第１の前記溝に嵌合する板状の屋根パネルと、両端部が前記垂木の第２の前記溝に嵌合する棒状の横木と、前記横木と前記屋根パネルとの間に配置された弾力性シートとを備えたことを主要な特徴とする。
【０００７】
また、前記した屋根構造において、前記屋根パネルの上側に前記横木と平行に配置され、前記屋根パネルとの間に弾力性シートを備えた上側横木を設けた点にも特徴がある。また、前記した屋根構造において、前記上部横木は前記横木と同一の形状であり、前記垂木の側面の前記第１の溝の上部には、前記上部横木が嵌合するための第３の溝が設けられている点にも特徴がある。
【０００８】
また、前記した屋根構造において、前記垂木の側面の前記第１の溝は、前記屋根パネルの継ぎ目の部分において他の部分よりも幅が広くなっている点にも特徴がある。また、前記した屋根構造において、前記垂木の側面の前記第１の溝は、前記屋根パネルの継ぎ目の部分において前記屋根パネルの厚さ分だけ段差が付けられている点にも特徴がある。また、前記した屋根構造において、前記垂木の側面の前記第１の溝は湾曲している点にも特徴がある。
【考案の効果】
【０００９】
本考案の屋根構造は上記したような構成によって以下のような効果がある。
（１）樹脂製の屋根パネルを使用する屋根構造に好適であり、特殊な材料や加工を必要としないので、容易かつ安価に製作できる。
（２）主要な材料は木材および樹脂パネルであり、耐久性のある木材および金具を使用することにより、塩害に強い屋根を提供可能である。
（３）屋根の形状、強度、材質等を任意に設計、変更可能であり、現場への適用、変更が容易である。
【図面の簡単な説明】
【００１０】
【図１】本考案の屋根構造の実施例１の構成を示す平面図、正面図および側面図である。
【図２】本考案の屋根構造の実施例１の構成を示す断面図である。
【図３】本考案の屋根構造の実施例１における垂木および端部横木の構成を示す正面図および側面図である。
【図４】本考案の屋根構造の実施例２の構成を示す断面図である。
【図５】本考案の屋根構造の実施例３の構成を示す断面図である。
【図６】本考案の屋根構造の実施例２における端部および屋根パネルの継ぎ構成を示す断面図である。
【図７】本考案の屋根の実施例２における垂木の側面構成の他の実施例を示す正面図である。
【図８】本考案の屋根の実施例４における垂木の構成例を示す正面図である。
【考案を実施するための形態】
【００１１】
以下に図面を参照して本考案の屋根構造の実施例について説明する。
【実施例１】
【００１２】
図１は、本考案の屋根構造の実施例１の構成を示す平面図、正面図および側面図である。この例は例えばカーポートなどに利用可能な自立する屋根の例であり、自立する柱１０によって各桁１１がそれぞれ異なる高さに水平に支持されている。なお、柱１０ではなく、家の壁や塀、梁など、他の構造物によって桁１１を支持してもよい。屋根全体は長方形であり、長方形の短辺が傾斜するように配置されている。
【００１３】
複数の垂木１２は、長方形の屋根の短辺の位置および長方形を短辺と平行に均等に分割した位置に配置される。垂木１２は桁１１に直角に固着され、辺の位置にある垂木１２は一方（内側）の側面に、その他の垂木１２は両方の側面に複数の溝２５、２６を備えている。垂木１２の長さが許す限り、長方形の長辺、短辺の長さは任意に決定、製造できる。垂木１２の数は、屋根の長辺の長さや屋根パネル１３の短辺の長さ、必要とされる強度等に基づいて決定すればよい。
【００１４】
屋根パネル１３は例えば透明、半透明あるいは着色された樹脂（プラスティック）製の長方形の板である。屋根パネル１３は少なくとも対向する２辺が両側の垂木１２の第１の溝２５に嵌合する。実施例１においては屋根パネル１３の長辺は垂木１２と同じ長さであり、継ぎ目は無い例を開示しているが、後述するように、継ぎ目を設けてもよい。屋根パネル１３の材質はポリカーボネート板など公知の任意の材質を採用可能であり、金属、ガラス、木材であってもよい。
【００１５】
横木１４は直方体の木製の棒であり、その両端部が垂木１２の第２の溝２６に嵌合して木ねじ２３によって固着される。従って、横木１４は任意の位置に任意の数だけ配置可能であり、配置する位置は必要とされる強度や外観等に基づいて決定する。なお、横木１４を例えば透明な樹脂など屋根パネル１３と同じ材質で作成してもよい。
【００１６】
弾力性シート１５は横木１４と屋根パネル１３との間に配置される。この弾力性シート１５は横木１４に固着されているが、温度の変化によって屋根パネル１３が垂木１２に対して伸縮するので、屋根パネル１３には固着されていない。弾力性シート１５の厚みは横木１４と屋根パネル１３との間の間隔と同じでよい。弾力性シート１５は例えばゴム製のシートなど、弾力性および吸音性に優れているものが好ましい。
【００１７】
弾力性シート１５は屋根パネル１３を下から支持すると共に、風圧等によって屋根パネル１３が持ち上げられた場合などにバタつき音が発生することを防止する。弾力性シート１５は横木１４と屋根パネル１３との間の全面に設けてもよいし、図示するように横木１４よりも小さい面積であってもよく、形状や個数も任意である。
【００１８】
屋根の上側の辺の垂木１２の端部の間には、図６左側に示すように、屋根パネル１３の短辺と嵌合する溝を備えた、断面がコ字状の端部横木１６が固着されている。但し、端部横木１６は不要であれば省略してもよい。なお、屋根の下側の辺には端部横木は装着せず、雨は屋根パネル１３から流れ落ちるので、必要に応じて雨樋を設置してもよい。
【００１９】
桁１１、垂木１２、横木１４、は木製であり、市販されている任意の木材を採用可能である。但し、耐久性が必要な場合には、特に塩水（海水）に対する耐久性に優れた木材であるウリンが最適である。また、イペ、メルバウ等の高耐久性の木材であってもよい。
【００２０】
図２は本考案の屋根構造の実施例１の構成を示す断面図である。また、図３は、本考案の屋根構造の実施例１における中央部分の垂木および端部横木の構成を示す正面図および側面図である。中央部分の垂木１２は両側面に２本の溝２５、２６を備えており、例えばＬ型金具２０および図示しない木ねじによって桁１１に固着されている。
【００２１】
上側の第１の溝２５は屋根パネル１３を嵌合させるための断面が長方形（正方形）の溝であり、溝の幅は屋根パネル１３の厚さ（例えば３ｍｍ）の２倍の６ｍｍ程度であってもよい。下側の第２の溝２６は横木１４を嵌合させるための溝であり、溝の幅は横木１４の厚さよりもわずかに大きくする。
【００２２】
屋根パネル１３は、第１の溝２５に嵌合された後、溝の隙間にバックアップ材２１およびシーリング材２２を詰めて屋根パネル１３の固定および防水を行う。なお、バックアップ材は、シーリングを施す目地底に設ける断面が円形の紐状の資材であり、弾力性に優れた軟質独立発泡体（高発泡ポリエチレン）製のものが市販されている。
【実施例２】
【００２３】
図４は本考案の屋根構造の実施例２の構成を示す断面図である。実施例１の構造は、屋根パネル１３を上側から支持する部材が無いので、下側からの風圧に対する強度が弱く、バタつき音の発生する恐れがあるという課題があった。実施例２は、上記課題を解決するために、実施例１の構造に屋根パネル１３を上側から支持する部材である上側横木３０を追加したものである。
【００２４】
上側横木３０は、桁１１と同じ長さの木材であり、屋根パネル１３および垂木１２の上側に横木１４と平行に配置され、垂木１２に図示しない木ねじによって固着される。上側横木３０と屋根パネル１３との間には横木１４と屋根パネル１３との間に配置される弾力性シート１５と同一素材の弾力性シート３１が配置される。
【００２５】
弾力性シート３１は上部横木３０の下面に接着剤等によって固着され、屋根パネル１３には固着されない。また、屋根パネル１３の上面に雨水等が流れた場合に弾力性シート３１の上流に溜まらないようにするために、例えば図示するように円形の形状のものを複数個配置する。
【００２６】
上部横木３０の取り付け位置は任意であるが、横木１４と上部横木３０とを同じ垂直位置に取り付けて、上下から屋根パネル１３を挟んで支持することにより、強度が増し、上から見ても弾力性シートが見えなくなるので見栄えも良くなる。
【００２７】
図６は、本考案の屋根構造の実施例２における端部構造および屋根パネルの継ぎ構成を示す断面図である。屋根の傾斜方向の長さが屋根パネル１３の長さよりも長い場合には屋根パネル１３を継ぐ必要があるが、実施例１のように横木１４で下側からのみ屋根パネル１３を継ぐと、継ぎ目に隙間が生じて雨漏れの恐れがある。そこで、継ぎ目に実施例２の構造を採用し、横木１４と上部横木３０によって屋根パネル１３の継ぎ目を上下から挟んで支持することにより、継ぎ目に隙間が生じることが防げる。
【００２８】
図７は、本考案の屋根構造の実施例２における垂木の側面構成の他の実施例を示す正面図である。図７においては、垂木１２の側面における第１の溝２５のみを表示し、第２の溝は省略してある。図７（ａ）〜（ｃ）は、屋根パネル１３の継ぎ目の部分において第１の溝２５の幅が広くなっている例である。
【００２９】
図７（ａ）は、屋根パネル１３の継ぎ目の部分において溝２５の上部がより広がっている例、図７（ｂ）は溝２５の下側が広がっている例、図７（ｃ）は溝２５の両側が広がっている例である。継ぎ目の部分において溝２５を広げることにより、継ぎ目の部分においても溝の隙間がほぼ一定の幅となり、溝の隙間にバックアップ材２１およびシーリング材２２を連続して詰めることが出来、防水性が向上する。
【００３０】
図７（ｄ）〜（ｆ）は、屋根パネル１３の継ぎ目の部分において第１の溝２５に屋根パネル１３の厚さ分だけ段差が付けられている例である。図６あるいは図７（ａ）〜（ｃ）の実施例においては、継ぎ目部分において屋根パネル１３が湾曲してしまうので、継ぎ目に隙間が生じ、雨漏り等の恐れがある。そこで、継ぎ目部分に段差を設けることによって屋根パネル１３が湾曲しないので、継ぎ目に隙間が生じることが無くなり、防水性が向上する。
【００３１】
図７（ｄ）は、屋根パネル１３の継ぎ目が１つの場合、図７（ｅ）は、屋根パネル１３の継ぎ目が２つの場合である。垂木１２の側面の長辺と溝２５が平行な場合には継ぎ目が多いほど垂木１２の側面の短辺の幅が長くなる。図７（ｆ）は、屋根パネル１３の継ぎ目が２つ以上の場合に、垂木１２の側面の長辺に対して溝２５を僅かに傾斜させることにより、溝２５全体としては長辺に対して平行とした例である。このようにすれば、実施例１と同じ垂木１２で多数の継ぎ目を設けることができ、かつパネルが湾曲することも無い。
【００３２】
なお、横木用の溝２６は、屋根パネル用の溝２５と同様に段差を付けてもよいが、実施例１と同様の垂木の側面の長辺と平行な段差のない溝２６であってもよく、段差の分は弾力性シート１５の厚さを変えるか、横木１４と弾力性シート１５の間にスペーサとして木の板を挟むことによって対応できる。
【実施例３】
【００３３】
図５は本考案の屋根構造の実施例３の構成を示す断面図である。図４の実施例においては長尺の上部横木３０を垂木１２の上部に配置する例を開示したが、図５に示す実施例は、上部横木４１として下側の横木１４と同じ長さの木材を使用し、垂木４０の側面の第１の溝２５の上部に第２の溝２６と同じ幅の第３の溝４２を設け、上部横木４１を嵌合、固定したものである。この実施例の場合には、垂木の側面の幅が他の実施例よりも長くなるが、横木１４と上部横木４１は同一形状の木材を使用でき、上部横木４１を１本づつ位置を変えて配置することも可能である。
【実施例４】
【００３４】
図８は、本考案の屋根の実施例４における垂木の構成例を示す正面図である。実施例４は、屋根パネル１３を意図的に湾曲させることによって上からの荷重に対する強度を向上させたものである。実施例１〜３においては屋根パネル１３はほぼ平面状に設置されるので、上部からの荷重に対して変形しやすく、下側にたわんでしまうので、強度が必要な場合には垂木１２や横木１４の配置間隔を狭めたり、より厚い屋根パネル１３を使用する必要がある。
【００３５】
実施例４は、同じ屋根パネル１３を使用した場合に他の実施例よりも垂木１２や横木１４の配置間隔を広くでき、あるいは垂木１２や横木１４の配置間隔が同じ場合にはより薄い屋根パネル１３を使用可能な例である。
【００３６】
図８（ａ）は、屋根パネル用の溝２５を円弧状に湾曲させたもの、図８（ｂ）は、垂木１２と屋根パネル用の溝２５を共に円弧状に湾曲させたものである。この場合には垂木の長さが長くなるほど円弧の半径が長くなり、強度の向上効果が減少する。図８（ｃ）は溝２５を所定の間隔毎に上下に繰り返し湾曲させ、波状にしたものである。この場合には垂木１２の長さとは関係なく、一定の強度を維持できる。
【００３７】
なお、図８（ｃ）の実施例の場合には屋根パネル１３の湾曲の凹部の中央部分に横木１４および上部横木３０あるいは４１をそれぞれ上下から当てるようにしてもよい。また、湾曲の間隔および深さは、屋根の傾斜角度や必要な強度等に基づき、雨水が溜まらないように設計する。
【００３８】
以上、実施例について開示したが、本考案には以下のような変形例も考えられる。実施例においては、屋根は傾斜している例を開示したが、例えば雨を効率良く流す必要がなければ屋根は水平であってもよい。
【００３９】
実施例においては複数の垂木が全て平行に配置された長方形の屋根の例を開示したが、例えば正多角形の東屋や扇状の屋根などの場合には垂木を放射状に配置してもよい。この場合には屋根パネルは３角形あるいは台形に加工すればよく、横木は取り付け位置に従って、長さを決定すればよい。
【産業上の利用可能性】
【００４０】
本考案の屋根構造はカーポートやテラスの屋根として適用可能である。
【符号の説明】
【００４１】
１０…柱
１１…桁
１２…垂木
１３…屋根パネル
１４…横木
１５…弾力性シート
１６…端部横木
【図１】
0003166548.tif 000003
【図２】
0003166548.tif 000004
【図３】
0003166548.tif 000005
【図４】
0003166548.tif 000006
【図５】
0003166548.tif 000007
【図６】
0003166548.tif 000008
【図７】
0003166548.tif 000009
【図８】
0003166548.tif 000010